【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
投影画像に対するレーザーポインタによるレーザー光の照射位置を認識する認識部と、
前記レーザーポインタに設けられた操作部により検出されたユーザ操作の情報を取得する取得部と、
前記認識部により認識された前記照射位置と、前記取得部により取得されたユーザ操作に基づいて、前記投影画像に対する操作入力情報を検出する検出部と、
を備える、情報処理装置。
【請求項２】
前記認識部は、投影面を撮像した撮像画像に基づいて前記照射位置を認識する、請求項１に記載の情報処理装置。
【請求項３】
前記レーザーポインタは、前記操作部により検出されたユーザ操作に応じた非可視光マーカーを照射し、
前記取得部は、前記レーザーポインタにより照射された非可視光マーカーを撮像した撮像画像に基づいて、前記ユーザ操作の情報を取得する、請求項１または２に記載の情報処理装置。
【請求項４】
前記非可視光マーカーは、点、図形、１次元／２次元バーコード、または動画像である、請求項３に記載の情報処理装置。
【請求項５】
前記認識部は、前記非可視光マーカーを撮像した撮像画像に基づいて、前記非可視光マーカーの位置座標を前記レーザーポインタによる前記照射位置として認識する、請求項３または４に記載の情報処理装置。
【請求項６】
前記取得部は、前記レーザーポインタにより検出された前記ユーザ操作の情報を、前記レーザーポインタから受信して取得する、請求項１または２に記載の情報処理装置。
【請求項７】
前記レーザーポインタは、前記操作部により検出されたユーザ操作に応じた可視光マーカーを照射し、
前記取得部は、前記レーザーポインタにより照射された可視光マーカーを撮像した撮像画像に基づいて、前記ユーザ操作の情報を取得する、請求項１または２に記載の情報処理装置。
【請求項８】
前記レーザーポインタは、前記ユーザ操作に応じて、前記可視光マーカーの形または色の少なくともいずれかを変化させる、請求項７に記載の情報処理装置。
【請求項９】
前記認識部は、前記投影画像の全体を撮像した撮像画像に基づいて、前記レーザーポインタによる前記投影画像に対するレーザー光の照射位置を認識する、請求項１〜８のいずれか１項に記載の情報処理装置。
【請求項１０】
前記認識部は、前記投影画像上に重ねて投影された非可視光の座標認識用画像を撮像した撮像画像に基づいて、前記レーザーポインタによる前記投影画像に対するレーザー光の照射位置を認識する、請求項１〜８のいずれか１項に記載の情報処理装置。
【請求項１１】
前記非可視光の座標認識用画像を撮像した撮像画像は、前記レーザーポインタによる前記投影画像に対するレーザー光の照射位置周辺を撮像した撮像画像である、請求項１０に記載の情報処理装置。
【請求項１２】
前記認識部は、前記投影画像に対する複数のレーザーポインタによるレーザー光の照射位置を認識し、
前記複数のレーザーポインタは、自身の識別情報を示す非可視光または可視光マーカーを照射し、
前記取得部は、前記複数のレーザーポインタによりそれぞれ照射された非可視光または可視光マーカーを撮像した撮像画像に基づいて、各レーザーポインタを識別するための識別情報を取得する、請求項１〜１０のいずれか１項に記載の情報処理装置。
【請求項１３】
投影画像に対するレーザーポインタによるレーザー光の照射位置を認識するステップと、
前記レーザーポインタに設けられた操作部により検出されたユーザ操作の情報を取得するステップと、
前記認識された前記照射位置と、前記取得されたユーザ操作に基づいて、前記投影画像に対する操作入力情報を検出するステップと、
を含む、操作入力検出方法。
【請求項１４】
コンピュータに、
投影画像に対するレーザーポインタによるレーザー光の照射位置を認識する認識部と、
前記レーザーポインタに設けられた操作部により検出されたユーザ操作の情報を取得する取得部と、
前記認識部により認識された前記照射位置と、前記取得部により取得されたユーザ操作に基づいて、前記投影画像に対する操作入力情報を検出する検出部と、
として機能させるための、プログラム。
【請求項１５】
コンピュータに、
投影画像に対するレーザーポインタによるレーザー光の照射位置を認識する認識部と、
前記レーザーポインタに設けられた操作部により検出されたユーザ操作の情報を取得する取得部と、
前記認識部により認識された前記照射位置と、前記取得部により取得されたユーザ操作に基づいて、前記投影画像に対する操作入力情報を検出する検出部と、
として機能させるためのプログラムが記憶された、記憶媒体。
【手続補正２】
【補正対象書類名】明細書
【補正対象項目名】００１３
【補正方法】変更
【補正の内容】
【００１３】
【図１】本開示の一実施形態による操作システムの概要を説明するための図である。
【図２】第１の実施形態による操作システムの全体構成を説明するための図である。
【図３Ａ】第１の実施形態によるレーザーポインタによるユーザ操作に応じたレーザー光および非可視光マーカーの第１の照射方法について説明するための図である。
【図３Ｂ】第１の実施形態によるレーザーポインタによるユーザ操作に応じたレーザー光および非可視光マーカーの第２の照射方法について説明するための図である。
【図４Ａ】第１の実施形態によるレーザーポインタに設けられる複数の操作ボタンについて説明するための図である。
【図４Ｂ】第１の実施形態によるレーザーポインタに設けられるタッチパネルについて説明するための図である。
【図５】第１の実施形態による操作システムの内部構成の一例を示すブロック図である。
【図６】第１の実施形態による動作処理を示すシーケンス図である。
【図７】第１の実施形態によるプロジェクタの動作処理を示すフローチャートである。
【図８】第１の実施形態の変形例によるレーザーポインタについて説明するための図である。
【図９】第１の実施形態の変形例による操作システムの内部構成の一例を示すブロック図である。
【図１０】第２の実施形態による操作システムの全体構成を説明するための図である。
【図１１】第２の実施形態による操作システムの内部構成の一例を示すブロック図である。
【図１２】第３の実施形態による操作システムの全体構成を説明するための図である。
【図１３】第３の実施形態による操作システムの内部構成の一例を示すブロック図である。
【図１４】第４の実施形態による操作システムの全体構成を説明するための図である。
【図１５】第４の実施形態による通信端末の内部構成の一例を示すブロック図である。
【図１６】第５の実施形態による操作システムの全体構成を説明するための図である。
【図１７】第５の実施形態による操作システムの内部構成の一例を示すブロック図である。
【図１８】第６の実施形態による操作システムの全体構成を説明するための図である。
【図１９】第６の実施形態による操作システムの内部構成の一例を示すブロック図である。
【図２０】第７の実施形態による操作システムの全体構成を説明するための図である。
【図２１】第７の実施形態による通信端末の内部構成の一例を示すブロック図である。
【手続補正３】
【補正対象書類名】明細書
【補正対象項目名】０１４２
【補正方法】変更
【補正の内容】
【０１４２】
（２−４−２．内部構成）
続いて、本実施形態による操作システムに含まれる通信端末５の内部構成について図１５を参照して具体的に説明する。図１５は、第４の実施形態による通信端末５の内部構成の一例を示すブロック図である。
【手続補正４】
【補正対象書類名】明細書
【補正対象項目名】０１４７
【補正方法】変更
【補正の内容】
【０１４７】
操作入力部５２は、図１３に示す第３の実施形態による操作入力部３２ｂと同様の機能を有する。具体的には、操作入力部５２は、ユーザ操作情報取得部５３から出力されたユーザ操作情報と位置認識部５６から出力された照射位置Ｐを示す情報とに基づいて、投影画像に対する操作入力情報を検出する機能を有する。そして、操作入力部５０は、検出した操作入力情報を制御部５０に出力する。
【手続補正５】
【補正対象書類名】明細書
【補正対象項目名】０１４８
【補正方法】変更
【補正の内容】
【０１４８】
制御部５０は、操作入力情報に従った処理を実行し、処理が反映された投影用の画像データを、画像出力部５１からプロジェクタ１ｂに送信する。